(57)【要約】  【課題】撮像素子の発熱によりレンズユニット及びカメラ本体の伝熱部が高温である場合においても、カメラ本体から安全にレンズユニットを取り外すことができる。  【解決手段】カメラ本体１０は、カメラ本体１０内に放熱するヒートシンク３５と、ヒートシンク３５を覆うように配設されたヒートシンクカバー３６を備え、レンズユニット２０は、撮像素子２３及び基板２４の背面に当接するように配設された伝熱板２５と、伝熱板２５を覆うように配設された伝熱板カバー２６とを備える。レンズユニットをカメラ本体へ装着すると、装着動作に連動して伝熱板カバー２６が光軸方向に移動する。それに伴い、伝熱板２５に形成された凸部２５ｂが、伝熱板カバー２５の貫通穴から突出することで、伝熱板２５とヒートシンク３５とが凸部２５ｂを介して接触し、撮像素子２３から発生した熱がカメラ本体１０内に放熱される。【選択図】  図７
2008245144.tif 000002
【特許請求の範囲】
【請求項１】
レンズユニットと、該レンズユニットが装着されるカメラ本体とからなる撮像素子一体型レンズ交換式デジタルカメラにおいて、
前記レンズユニットは、
撮像素子とレンズとが内部に配設された鏡筒と、
前記撮像素子及び該撮像素子が実装される基板の少なくとも一方の背面に当接するように前記鏡筒の内部に配設された伝熱板と、
前記伝熱板を覆うように前記鏡筒の内部に配設された伝熱板カバーであって、前記伝熱板に手が触れない大きさの貫通穴が形成された伝熱板カバーと、を備え、
前記カメラ本体は、
前記レンズユニットを着脱可能にするマウントと、
前記レンズユニットの装着時に前記伝熱板と接触し、前記撮像素子から発生した熱をカメラ本体内に放熱するためのヒートシンクと、
前記ヒートシンクを覆うように前記カメラ本体内に配設されたヒートシンクカバーであって、前記ヒートシンクに手が触れない大きさの貫通穴が形成されたヒートシンクカバーと、を備え、
前記伝熱板及びヒートシンクの一方には、前記伝熱板カバー及びヒートシンクカバーの貫通穴から突出する凸部が形成され、
前記レンズユニットのカメラ本体への装着時に、前記伝熱板カバー及びヒートシンクカバーのうちの一方のカバーが前記装着動作に連動して光軸方向に移動し、前記凸部が前記光軸方向に移動するカバーの貫通穴から突出することで、前記伝熱板とヒートシンクとが前記凸部を介して接触するように構成されたことを特徴とする撮像素子一体型レンズ交換式デジタルカメラ。
【請求項２】
前記レンズユニットが前記マウントに差し込まれて所定量回転させられることで、前記レンズユニットが前記マウントに装着され、
前記レンズユニットが前記マウントに差し込まれると、前記伝熱板カバー及びヒートシンクカバーのうちの一方のカバーは光軸方向に移動し、前記レンズユニットが回転させられると、他方のカバーは回転させられることを特徴とする請求項１に記載の撮像素子一体型レンズ交換式デジタルカメラ。
【請求項３】
請求項１又は２に記載の撮像素子一体型レンズ交換式デジタルカメラを構成するレンズユニット。
【請求項４】
請求項１又は２に記載の撮像素子一体型レンズ交換式デジタルカメラを構成するカメラ本体。
【発明の詳細な説明】
【技術分野】
【０００１】
本発明はレンズユニット及びレンズ交換式カメラに係り、特に交換レンズユニットに撮像素子が内蔵されたレンズ交換式デジタルカメラに関する。
【背景技術】
【０００２】
近年、撮影レンズと撮像素子が組み込まれたレンズユニットを着脱自在に交換できるレンズ交換式のカメラが提案されている。このようなレンズ交換式カメラにおいては、レンズユニットがカメラに装着された後、給電を受けて駆動されると撮像素子が発熱する。レンズユニット内部の温度を所定範囲内に保つためには、レンズユニットからカメラ本体へ熱を伝えることで、レンズユニットを冷却する必要がある。
【０００３】
これに対応するために、特許文献１には、交換レンズユニットがカメラ本体へ装着されると、撮像素子等の発熱をレンズユニットの伝熱部とカメラ本体の伝熱部とを介してカメラ本体に放熱する撮像素子一体型レンズ交換式カメラが提案されている。
【特許文献１】特開２００６―８６７５２号公報
【発明の開示】
【発明が解決しようとする課題】
【０００４】
しかしながら、上記特許文献１に記載の撮像素子一体型レンズ交換式カメラでは、レンズユニットがカメラ本体から取り外されたときに伝熱部が高熱となっている場合には、レンズユニット又はカメラ本体の伝熱部が露出しているため、ユーザーが高温の伝熱部に触れる虞があり、危険である。
【０００５】
本発明はこのような事情に鑑みてなされたもので、撮像素子の発熱によりレンズユニット及びカメラ本体の伝熱部が高温である場合においても、カメラ本体から安全にレンズユニットを取り外すことができるレンズユニット及び撮像素子一体型レンズ交換式カメラを提供することを目的とする。
【課題を解決するための手段】
【０００６】
請求項１に記載の撮像素子一体型レンズ交換式デジタルカメラは、前記目的を達成するために、レンズユニットと、該レンズユニットが装着されるカメラ本体とからなる撮像素子一体型レンズ交換式デジタルカメラにおいて、前記レンズユニットは、撮像素子とレンズとが内部に配設された鏡筒と、前記撮像素子及び該撮像素子が実装される基板の少なくとも一方の背面に当接するように前記鏡筒の内部に配設された伝熱板と、前記伝熱板を覆うように前記鏡筒の内部に配設された伝熱板カバーであって、前記伝熱板に手が触れない大きさの貫通穴が形成された伝熱板カバーと、を備え、前記カメラ本体は、前記レンズユニットを着脱可能にするマウントと、前記レンズユニットの装着時に前記伝熱板と接触し、前記撮像素子から発生した熱をカメラ本体内に放熱するためのヒートシンクと、前記ヒートシンクを覆うように前記カメラ本体内に配設されたヒートシンクカバーであって、前記ヒートシンクに手が触れない大きさの貫通穴が形成されたヒートシンクカバーと、を備え、前記伝熱板及びヒートシンクの一方には、前記伝熱板カバー及びヒートシンクカバーの貫通穴から突出する凸部が形成され、前記レンズユニットのカメラ本体への装着時に、前記伝熱板カバー及びヒートシンクカバーのうちの一方のカバーが前記装着動作に連動して光軸方向に移動し、前記凸部が前記光軸方向に移動するカバーの貫通穴から突出することで、前記伝熱板とヒートシンクとが前記凸部を介して接触するように構成されたことを特徴とする。
【０００７】
請求項１に記載の撮像素子一体型レンズ交換式デジタルカメラによれば、レンズユニットのカメラ本体への装着時に、装着動作に連動して伝熱板カバー及びヒートシンクカバーのうちの一方のカバーが光軸方向に移動する。それに伴い、伝熱板及びヒートシンクの一方に形成された凸部が、伝熱板カバー及びヒートシンクカバーのうちの光軸方向に移動するカバーの貫通穴から突出することで、伝熱板とヒートシンクとが凸部を介して接触し、レンズユニットからカメラ本体へ熱が伝えられる。ここで、伝熱板は、撮像素子及び撮像素子が実装される基板の少なくとも一方の背面に当接するように鏡筒の内部に配設され、伝熱板を覆うように、伝熱板に手が触れない大きさの貫通穴が形成された伝熱板カバーが鏡筒の内部に配設されている。また、ヒートシンクは、撮像素子から発生した熱をカメラ本体内に放熱するために、レンズユニットの装着時に伝熱板と接触するように配設され、ヒートシンクを覆うように、ヒートシンクに手が触れない大きさの貫通穴が形成されたヒートシンクカバーがカメラ本体内に配設されている。これにより、レンズユニットとカメラ本体とが装着された場合には、レンズユニット内部の温度を所定の温度以下に保つことができる。また、レンズユニットとカメラ本体とが取り外された場合には、ユーザーが伝熱板又はヒートシンクに触れることができないため、撮像素子の発熱により伝熱板又はヒートシンクが高温である場合にも、カメラ本体からレンズユニットを安全に取り外すことができる。
【０００８】
請求項２に記載の撮像素子一体型レンズ交換式デジタルカメラは、前記レンズユニットが前記マウントに差し込まれて所定量回転させられることで、前記レンズユニットが前記マウントに装着され、前記レンズユニットが前記マウントに差し込まれると、前記伝熱板カバー及びヒートシンクカバーのうちの一方のカバーは光軸方向に移動し、前記レンズユニットが回転させられると、他方のカバーは回転させられることを特徴とする。
【０００９】
請求項２に記載の撮像素子一体型レンズ交換式デジタルカメラによれば、レンズユニットがマウントに差し込まれると、前記伝熱板カバー及びヒートシンクカバーのうちの一方のカバーは光軸方向に移動し、前記レンズユニットが所定量回転させられると、他方のカバーは所定量回転させられて、レンズユニットがマウントに装着される。これにより、レンズユニットとカメラ本体とが装着された場合には、伝熱板及びヒートシンクの一方に形成された凸部が伝熱板カバー及びヒートシンクカバーの貫通穴から突出し、伝熱板とヒートシンクとを凸部を介して接触させることができる。
【００１０】
請求項３に記載のレンズユニットは、請求項１又は２に記載の撮像素子一体型レンズ交換式デジタルカメラを構成するレンズユニットであることを特徴とする。
【００１１】
請求項４に記載のカメラ本体は、請求項１又は２に記載の撮像素子一体型レンズ交換式デジタルカメラを構成するカメラ本体であることを特徴とする。
【発明の効果】
【００１２】
本発明によれば、撮像素子の発熱によりレンズユニット及びカメラ本体の伝熱部が高温である場合においても、カメラ本体から安全にレンズユニットを取り外すことができる。
【発明を実施するための最良の形態】
【００１３】
以下、添付図面に従って本発明に係る撮像素子一体型レンズ交換式デジタルカメラを実施するための最良の形態について詳細に説明する。
【００１４】
図１、図２は、本発明に係る撮像素子一体型レンズ交換式デジタルカメラ１の一実施形態の外観図であり、図１は、レンズユニットがカメラ本体から取り外された状態を示し、図２は、レンズユニットがカメラ本体に装着されたときの各部品の状態を部品毎に示したものである。
【００１５】
デジタルカメラ１は、カメラ本体１０と、撮像素子一体型交換レンズユニット２０（以下レンズユニット２０と称する）とで構成される。レンズユニット２０は、カメラ本体１０の正面に設けられたレンズユニット接続部１２を介してカメラ本体１０に着脱自在に設けられている。
【００１６】
カメラ本体１０は、図１に示すように、主として、外装であるカメラ筐体１１と、レンズユニット接続部１２と、フラッシュ１３と、レリーズボタン１４とで構成される。
【００１７】
レンズユニット接続部１２は、図３（ａ）に示すように、マウント３１と、接点３２と、レンズロックピン３３と、レンズ取り外しボタン３４と、ヒートシンク３５と、ヒートシンクカバー３６と、ヒートシンクカバーピン３７と、圧縮スプリング３８と、ロック機構４０とで構成される。
【００１８】
レンズロックピン３３は、カメラ本体１０にレンズユニット２０が装着されたときに、レンズユニット２０をロックするためのものである。
【００１９】
レンズ取り外しボタン３４は、レンズロックピン３３によりカメラ本体１０にロックされたレンズユニット２０を取り外すときに用いるものである。レンズ取り外しボタン３４を押すことでレンズロックピン３３がレンズユニット２０から外れて、レンズユニット２０をカメラ本体１０から取り外せるようになる。
【００２０】
ヒートシンク３５は、レンズユニット２０から伝えられた熱を受け取り、放熱するものであり、カメラ筐体１１の内部のマウント３１の背面に設けられている。ヒートシンク３５は、図３（ｂ）に示すように、前面には、圧縮スプリング３８を収納するための圧縮スプリング収納リブ部３５ａと、ボス３５ｂが設けられており、背面にはレンズユニット２０から伝えられた熱を放熱する放熱部３５ｃが設けられている。放熱部３５ｃは、ヒートシンク３５に所定の深さの複数の溝を設けることにより作成された所定の高さの複数のリブで構成され、その表面から熱が伝達されることにより、ヒートシンク３５の熱を放熱する。
【００２１】
ヒートシンクカバー３６は、ユーザーの指が入らない程度の大きさの複数の穴３６ｂが設けられた板状の部材であり、ヒートシンク３５を隠すように、ヒートシンク３５の前面に設けられている。ヒートシンクカバーピン３７を、ヒートシンクカバー３６の前面からヒートシンクカバー３６の穴３６ｂを貫通させて、ヒートシンク３５のリブ３５ｂに圧入することにより、ヒートシンクカバー３６がヒートシンク３５に対して回転可能なように設けられる。ヒートシンクカバー３６の背面には、凸部３６ａが設けられている。ヒートシンクカバー３６の回転に伴い、凸部３６ａはカメラ筐体１１に設けられた凹部１１ａを摺動する。
【００２２】
圧縮スプリング３８は、ヒートシンクカバー３６にカメラ本体１０前面から見て時計回り（図４（ｂ）矢印方向）の力を付勢するものであり、ヒートシンク３５と、ヒートシンクカバー３６と、カメラ筐体１１との間に収納されている。これにより、ヒートシンクカバー３６が所定の位置に設けられる。
【００２３】
ロック機構４０は、レンズ取り外しボタン３４によって操作され、レンズロックピン３３を用いてレンズユニット２０をロックするものである。ロック機構４０については後で詳述する。
【００２４】
レンズユニット２０は、図４に示すように、主として、鏡筒２１と、レンズ２２と、レンズによって被写体像が結像される撮像素子２３と、基板２４と、伝熱板２５と、伝熱板カバー２６と、圧縮スプリング２７とで構成される。
【００２５】
鏡筒２１には、レンズユニット２０をカメラ本体１０に装着するときに、レンズユニット接続部１２と勘合する勘合部２１ａがもうけられている。また、マウント３１と当接する当接部２１ｂには、レンズロックピン３３と勘合する穴２１ｃが設けられている。
【００２６】
撮像素子２３は、撮像素子２３の前面に設けられたレンズ２２により被写体像が結像されるものであり、撮像素子２３の背面には、撮像素子２３を駆動する回路等を有する基板２４及び伝熱板２５が設けられている。
【００２７】
伝熱板２５は、撮像素子２３や基板２４で発生した熱を奪い、ヒートシンク３５へ伝えるものであり、基板２４の背面に設けられている。また、伝熱板２５の前面には凸部２５ａが設けられており、凸部２５ａは基板２４の穴を貫通して、撮像素子２３の背面に当接する。また、伝熱板２５の背面側には、複数の円筒形の凸部２５ｂが設けられている。
【００２８】
伝熱板カバー２６は、凸部２５ｂが貫通可能であって、ユーザーの指が入らない程度の大きさの穴２６ｂが複数設けられている板状の部材であり、伝熱板２５を隠すように伝熱板２５の背面に設けられている。伝熱板カバー２６は、カメラ筐体１１に圧縮スプリング２７を介して取り付けられており、伝熱板カバー２６には鏡筒２１から押し上げられる方向の力が付勢されている。また、伝熱板カバー２６は、鏡筒２１の内面を光軸方向に揺動可能であり、伝熱板カバー２６に外力が加えられると、凸部２５ｂが伝熱板カバー２６の穴２６ｂを貫通して、図２に示すように、凸部２５ｂが露出される。
【００２９】
次に、上記のように構成されたレンズユニット２０をカメラ本体１０に着脱する方法について説明する。
【００３０】
始めに、勘合部２１ａの凸部とマウント３１の凹部との位置を合わせて、レンズユニット２０をカメラ本体１０に挿入する。そうすると、まず伝熱板カバー２６とヒートシンクカバー３６とが当接する。さらにレンズユニット２０を押し込むと、伝熱板カバー２６が圧縮スプリング２７の付勢力に抗して伝熱板２５側に押し込まれる。それと同時に、伝熱板２５に設けられた凸部２５ｂが伝熱板カバー２６に設けられた穴２６ｂを貫通することで露出され、ヒートシンクカバー３６に設けられた穴３６ｂに凸部２５ｂが挿入される。最終的には、凸部２５ｂの先端は、ヒートシンク３５の前面に当接する。
【００３１】
その後、レンズユニット２０をカメラ本体１０前面から見て反時計回り（図２矢印方向）に回転させると、ヒートシンクカバー３６の穴３６ｂに貫通している凸部２５ｂを介して、ヒートシンクカバー３６に回転力が伝えられる。これにより、ヒートシンクカバー３６が、レンズユニット２０の回転に伴い、圧縮スプリング３８の付勢力に抗して図５（ａ）に示す状態から図５（ｂ）に示す状態まで反時計回りに回転される。
【００３２】
レンズユニット２０が所定の位置まで回転されると、レンズロックピン３３が当接部２１ｂに設けられた穴２１ｃに勘合して、ロック機構４０によりレンズユニット２０がロックされる。以下に、ロック機構４０によってレンズユニット２をロックする方法について説明する。
【００３３】
ロック機構４０は、図６に示すように、主として、スライダー４１と、コイルスプリングＡ４２と、コイルスプリングＢ４３と、ガイド４４とで構成される。
【００３４】
スライダー４１は、レンズ取り外しボタン３４と当接し、かつレンズロックピン３３と嵌め合わされるように配設されており、レンズ取り外しボタン３４に連動して揺動する。スライダー４１の揺動は、カメラ筐体１１に固定されているガイド４４によって規制される。スライダー４１がレンズ取り外しボタン３４によってカメラ本体１０内部へ押し込まれることで、レンズロックピン３３によるレンズユニット２０のロックが解除される。
【００３５】
コイルスプリングＡ４２は、レンズロックピン３３とスライダー４１との間に設けられており、スライダー４１にはカメラ本体１０内部へ押し込まれるような力が付勢されている。また、コイルスプリングＡ４２の内部には、レンズロックピン３３が通されている。
【００３６】
コイルスプリングＢ４３は、スライダー４１とガイド４４との間に設けられており、スライダー４１には被写体方向に押し上げるような力が付勢されている。なお、スライダー４１とレンズ取り外しボタン３４とが接触しているため、レンズ取り外しボタン３４は、スライダー４１と同様に、被写体方向に押し上げるような力が付勢されている。また、コイルスプリングＢ４３の内部には、レンズロックピン３３が通されている。
【００３７】
レンズロックピン３３は、コイルスプリングＡ４２とコイルスプリングＢ４３とにより、光軸方向に摺動可能であり、マウント３１には、レンズロックピン３３が摺動可能なように、貫通穴３１ａが設けられている。
【００３８】
上記のように構成されたロック機構４０は、以下のように作用する。
【００３９】
レンズユニット２０をマウント３１に挿入すると、図６（ａ）に示すように、レンズロックピン３３はレンズユニット２０に押されて、カメラ本体１０の内部へ押し込まれる（図６（ａ）実線部参照）。コイルスプリングＢ４３の力はコイルスプリングＡ４２の力より大きくなっているため、レンズロックピン３３が押し込まれることにより、コイルスプリングＡ４２のみが収縮され、スライダー４１及びレンズ取り外しボタン３４は押し込まれない。
【００４０】
その後、レンズユニット２０を回転させると、コイルスプリングＢ４３の付勢力によりレンズロックピン３３が、図６（ａ）の実線で示す状態から破線で示す状態へと押し上げられ、レンズロックピン３３が貫通穴３１ａを貫通してレンズロックピン３３用の穴２１ｃに勘合し、レンズユニット２０がロックされる。
【００４１】
このような方法により、レンズユニット２０がカメラ本体１０に装着されると、マウント３１に設けられた接点３２とレンズユニット２０の勘合部２１ａに設けられた接点（図示せず）とを介して、カメラ本体１０とレンズユニット２０とが電気的に接続される。
【００４２】
カメラ本体１０とレンズユニット２０とが電気的に接続されたら、カメラ本体１０内の基板３９に配設された中央処理装置（ＣＰＵ）が電気的接続を検知し、レンズユニット２０内の基板２４に配設されたシステムメモリからレンズユニット２０ の調整に必要な各種データを読み出し、レンズユニット２０の制御を実行する。
【００４３】
撮像素子２３は、駆動されると発熱を開始する。レンズユニット２０内の各部の温度が所定以上に達した場合には、レンズユニット２０の電気特性の劣化等により、撮像素子一体型レンズ交換式デジタルカメラ１が正常に作動しないという問題を生じる。例えば、撮像素子２３における高温時の暗電流増大によるノイズ増大等である。そこで、レンズユニット２０とカメラ本体１０ が電気的に接続されたときに、レンズユニット２０内の撮像素子２３による発熱をカメラ本体１０へ効率良く伝熱して放熱させることにより、レンズユニット２０内の各部の電気特性が劣化するのを防止する。
【００４４】
撮像素子２３による発熱をカメラ本体１０へ伝熱する方法について、図７を用いて説明する。なお、図７（ａ）は全体図であり、図７（ｂ）は要部拡大図である。
【００４５】
伝熱板２５の凸部２５ｂが伝熱板カバー２６の穴２６ｂ及びヒートシンクカバー３６の穴３６ｂを貫通してヒートシンク３５に当接している。そのため、撮像素子２３で発生した熱は、主として光軸方向に沿って、伝熱板２５を介してヒートシンク３５に伝導される。ヒートシンク３５に伝えられた熱は、ヒートシンク３５の放熱部３５ｃを介してカメラ本体１０内に放熱される。
【００４６】
ここで、伝熱板２５及びヒートシンク３５に使用する素材として、例えば、伝熱性シリコン（放熱シリコンゲル）や伝熱性エラストマー、銅、アルミ、ヒートパイプ等の金属などを用いることで、好ましい伝熱特性や密着性を得ることができる。また、これらを組み合わせて構成し伝熱効率を向上させるようにしても良い。また、バネなどを用いてヒートシンク３５を光軸方向に揺動可能にすることで、更に密着性を良くすることができる。
【００４７】
撮影が終了し、レンズ取り外しボタン３４が押されると、図６（ｂ）に示すように、コイルスプリングＢ４３の付勢力に抗して、スライダー４１とレンズロックピン３３が押し下げられる。レンズロックピン３３が押し下げられることで、レンズロックピン３３とレンズロックピン３３用の穴２１ｃとの勘合が外れ、レンズユニット２０のロックが解除される。レンズユニット２０のロックが解除された状態でレンズユニット２０を時計方向に回転させることにより、レンズユニット２０をカメラ本体１０から取り外すことができる。
【００４８】
レンズユニット２０がカメラ本体１０から取り外されると、ヒートシンクカバー３６に当接することにより伝熱板２５側に押し込まれていた伝熱板カバー２６が、圧縮スプリング２７の付勢力により押し上げられ、伝熱板カバー２６の穴２６ｂを貫通して露出していた凸部２５ｂが伝熱板カバー２６により覆われる。これにより、伝熱板２５が伝熱板カバー２６により遮られ、ユーザーが伝熱板２５に触れることができなくなる。
【００４９】
また、レンズユニット２０がカメラ本体１０から取り外されると、ヒートシンクカバー３６は、圧縮スプリング３８の付勢力により時計回りに回転し、所定の位置に戻される。
【００５０】
本実施の形態によれば、レンズユニット内で発生した熱をレンズユニットからカメラ本体へ伝えることで、レンズユニット内部の温度を所定の温度以下に保つことができる。
【００５１】
また、本実施の形態によれば、レンズユニットからカメラ本体へ熱が伝えられることにより、伝熱板やヒートシンクが高温となった場合でも、ユーザーが伝熱板やヒートシンクに触れることができないため、火傷などをすることなく、カメラ本体からレンズユニットを安全に取り外すことができる。
【００５２】
なお、本実施の形態では、撮像素子で発生した熱を伝熱板を介してヒートシンクへ伝熱したが、撮像素子で発生した熱のみでなく、基板で発生した熱を伝熱板を介してヒートシンクへ伝熱することもできる。また、撮像素子で発生した熱がまず基板に伝えられ、その後で伝熱板を介してヒートシンクへ伝熱する場合も考えられる。
【００５３】
また、本実施の形態では、撮像素子と当接する伝熱板の面積は伝熱板の中央部に設けられた凸部の面積であるが、撮像素子と当接する伝熱板の面積を撮像素子の面積の略同等以上とすることで、熱伝導を効率良く行うことができる。また、伝熱板として伝熱性シリコン等の弾性力のある素材を用いることにより、凸部を設けることなく、撮像素子と伝熱板とが当接するようにしてもよい。
【００５４】
また、本実施の形態では、ヒートシンクの背面に設けられた放熱部の表面から空気に熱が伝達されることにより、ヒートシンク３５の熱を放熱したが、ファンを用いて空気を対流させる等することより、更に効率よく放熱することができる。
【００５５】
また、本実施の形態では、突起として円筒形のものを用いたが、円筒形に限らず、半球形、直方体等の様々な形状を用いることができる。
【図面の簡単な説明】
【００５６】
【図１】本発明が適用された撮像素子一体型レンズ交換式デジタルカメラの外観図である。
【図２】上記撮像素子一体型レンズ交換式デジタルカメラのレンズユニットがカメラ本体に装着されたときの各部品の状態を部品毎に示した外観図である。
【図３】上記撮像素子一体型レンズ交換式デジタルカメラのレンズユニット接続部の分解斜視図であり、（ａ）はカメラ筐体１１の前面に設けられた部品を分解した状態を示し、（ｂ）はカメラ筐体１１を除いた状態を示す。
【図４】上記撮像素子一体型レンズ交換式デジタルカメラのレンズユニットの断面図である。
【図５】上記撮像素子一体型レンズ交換式デジタルカメラのレンズユニットをカメラ本体に取り付ける方法を説明するための説明図であり、（ａ）はレンズユニットを取り付ける前の状態を示し、（ｂ）はレンズユニットを取り付けた後の状態を示す。
【図６】上記撮像素子一体型レンズ交換式デジタルカメラの要部断面図である。
【図７】上記撮像素子一体型レンズ交換式デジタルカメラのロック機構を説明するための説明図である。
【符号の説明】
【００５７】
１：撮像素子一体型レンズ交換式デジタルカメラ、１０：カメラ本体、１１：カメラ筐体、１２：レンズユニット接続部、１３：フラッシュ、１４：レリーズボタン、２０：レンズユニット、２１：鏡筒、２２：レンズ、２３：撮像素子、２４：基板、２５：伝熱板、２６：伝熱板カバー、２７：圧縮スプリング、３１：マウント、３２：接点、３３：レンズロックピン、３４：レンズ取り外しボタン、３５：ヒートシンク、３６：ヒートシンクカバー、３７：ヒートシンクカバーピン、３８：圧縮スプリング、３９：基板、４１：スライダー、４２：コイルスプリングＡ、４３：コイルスプリングＢ、４４：ガイド
【図１】
2008245144.tif 000003
【図２】
2008245144.tif 000004
【図３】
2008245144.tif 000005
【図４】
2008245144.tif 000006
【図５】
2008245144.tif 000007
【図６】
2008245144.tif 000008
【図７】
2008245144.tif 000009